(57)【要約】【課題】  犬の大きさ及び口部のサイズに制限されず、犬自らの活動の中できつさが調整される機能を備えた犬用口輪を提供することにある。【解決手段】  ベルト１、枠体に並列した挿通孔が形成されてなるループ調整部材１１、互いに脱着自在に嵌め合うオスバックルとメスバックルとからなる装着用の係止バックル１２及び犬用の周辺物品を掛止可能とするフック１３とからなる。ループ調整部材１１が、ベルト１の中途に配設されると共に、ベルト１がループ調整部材１１の一方の挿通孔に挿通され、さらに他方の挿通孔に挿通されて移動自在に設けられる。ループ調整部材１１の並列した挿通孔間に配置されたベルト部分を引っ張って口部へ装着するためのループ１ａを形成する。【選択図】          図３
0003116082.tif 000002
【実用新案登録請求の範囲】
【請求項１】
ベルト、枠体に並列した挿通孔が形成されてなるループ調整部材、互いに脱着自在に嵌め合うオスバックルとメスバックルとからなる装着用の係止バックル及び犬用の周辺物品を掛止可能とするフックとからなり、
前記ループ調整部材が、前記ベルトの中途に配設されると共に、前記ベルトが前記ループ調整部材の一方の挿通孔に挿通され、さらに他方の挿通孔に挿通されて移動自在に設けられ、かつ前記ループ調整部材の前記並列した挿通孔間に配置されたベルト部分により口部へ装着するためのループが形成され、前記ベルトの一端に前記オスバックルが設けられ、前記ベルトの他端にメスバックルが設けられ、前記オスバックル及び前記メスバックルの少なくとも１つに対して前記ベルトが移動自在とされ、前記ベルトの一端寄りに前記フックが設けられたことを特徴とする犬用口輪。
【請求項２】
前記ループ調節部材が少なくとも１つ以上設けられていることを特徴とする請求項１に記載の犬用口輪。
【請求項３】
前記フックが少なくとも１つ以上設けられていることを特徴とする請求項１に記載の機能型犬用口輪。
【考案の詳細な説明】
【技術分野】
【０００１】
本考案は、犬用口輪に関する。
【背景技術】
【０００２】
図５は、従来の犬用口輪の使用時の状態を示す側面図である。従来の犬用口輪Ａ１は、図５に示すように、硬い網状の籠を犬の口部に被せ、口輪Ａ１の後方にベルトＡ２をつけて犬の頚部に固定するものである。これを犬の口部に被せるときは、口輪Ａ１の上部の凹んだ辺縁部分を犬の鼻梁にあて、さらに口輪Ａ１の開口部の下側辺縁部を犬の喉元近くまで延伸して被せ、犬の口部全体を口輪Ａ１で覆う。このような口輪Ａ１を装着した犬は、口を開けて攻撃したり、物品を噛んだりすることができなくなる。
【０００３】
なお、家畜用の口輪として、並列する第１細長孔と、該第１細長孔と略直交する大に細長孔とを有する複数の板状部材の該第１細長孔に、両端部に第１接離部材の係止突部と受部とを有する前部帯状体を摺動自在に挿通すると共に、該第２細長孔に両端部がそれぞれ折り返し結着され、中間部に第２接離部材の係止突部と受部とを有する側部帯状体を連結した口輪が提案されている（例えば、特許文献１）。
【０００４】
【特許文献１】実開平６−５７１５３号公報
【考案の開示】
【考案が解決しようとする課題】
【０００５】
しかしながら、図５に示す従来の犬用口輪Ａ１は、以下に説明するような欠点がある。従来の犬用口輪Ａ１は、異なるサイズの硬い網状の籠から作られている。したがって、業者が多くの在庫品を準備する必要があるだけでなく、その適用性も大きく制限される。つまり、大きな犬には小さな犬のものは使えず、小さな犬には大きな犬のものは使えないということである。さらに、各犬の口の形状、大きさ、長さが異なるときには、共用することができない。このため、各犬に専用の口輪Ａ１を買う必要があり、飼い主の収納上の問題となるほか、費用も多くかかってしまう。
【０００６】
また、従来の犬用口輪Ａ１は、犬の口を押さえながら包み込む方式で装着されるため、装着後、犬が口を押さえ合わされた状態となって口を開くことができなくなるため、犬に大きな圧迫感と視覚障害を与え、犬が非常に不快なものと感じることが多かった。例えば、犬が暑いと感じるときに舌を出して体温調節することができない。犬が適応できなかったり受け入れられなかったりすると、怒って暴れる（大型で怒りやすい犬種の場合など）こともあり、足の爪で口輪Ａ１に覆われた部位をひっかき、犬自身をひどく傷つけてしまうことがある。また、犬が口輪Ａ１を装着したときに不快な経験をすると、口輪Ａ１を噛んだりしてしまうが、従来の口輪Ａ１は犬が強い力で噛むと破損してしまうことがよくあり、飼い主にとってはまた買い直す費用がかかってしまう。また、従来の犬用口輪Ａ１は、犬に装着したとき犬の外観を見苦しくし、豚の鼻を連想させるため、犬全体の外観と格好に影響する。
【０００７】
さらに、従来の犬用口輪Ａ１は、犬の首輪とは全く関係がなく、犬に首輪が必要なときは、別途首輪を買う必要がある。さらに、犬用口輪Ａ１は絶対に脱落しないというものではなく、大きな安全上の欠点もある。
【０００８】
また、特許文献１に記載の口輪は、板状部材の第２細長孔に両端部がそれぞれ折り返し結着され、中間部に第２接離部材の係止突部と受部とを有する側部帯状体が連結されたものであるため、その分部品点数が多くなってしまうものであった。
【０００９】
そこで、本考案の目的は、迅速に装着でき、犬の大きさ及び口部のサイズに制限されず、犬自らの活動の中できつさが調整される機能を備え、且つ、口輪と首輪の二つの使用機能を備えた犬用口輪を提供することにある。
【課題を解決するための手段】
【００１０】
請求項１に係る犬用口輪は、上記課題を解決するために、ベルト、枠体に並列した挿通孔が形成されてなるループ調整部材、互いに脱着自在に嵌め合うオスバックルとメスバックルとからなる装着用の係止バックル及び犬用の周辺物品を掛止可能とするフックとからなり、前記ループ調整部材が、前記ベルトの中途に配設されると共に、前記ベルトが前記ループ調整部材の一方の挿通孔に挿通され、さらに他方の挿通孔に挿通されて移動自在に設けられ、かつ前記ループ調整部材の前記並列した挿通孔間に配置されたベルト部分により口部へ装着するためのループが形成され、前記ベルトの一端に前記オスバックルが設けられ、前記ベルトの他端にメスバックルが設けられ、前記オスバックル及び前記メスバックルの少なくとも１つに対して前記ベルトが移動自在とされ、前記ベルトの一端寄りに前記フックが設けられたことを特徴とする。
【００１１】
請求項２に係る犬用口輪は、請求項１に係る犬用口輪において、前記ループ調節部材が少なくとも１つ以上設けられていることを特徴とするものである。請求項３に係る犬用口輪は、請求項１に係る犬用口輪において、前記フックが少なくとも１つ以上設けられていることを特徴とするものである。
【考案の効果】
【００１２】
本考案の請求項１に係る犬用口輪によれば、ベルトの中途に配設されたループ調整部材の一方の挿通孔にベルトが挿通され、さらに他方の挿通孔に挿通されて移動自在に設けられ、かつループ調整部材の並列した挿通孔間に配置されたベルト部分により口部へ装着するためのループが形成された構成であるので、ループの長さを変えることが可能で、効果的に口輪の機能を異なる大きさ、口の形状の各種の犬に広く適用でき、高い共用性を備え、構造も単純である。また、ループを犬の口部に装着し、オスバックルとメスバックルとを分離し、頚部後方に向って巻きつけ、オスバックルをメスバックルに嵌合するようにできるので、犬用首輪の付加価値を派生でき、首輪の機能も異なる大きさのさまざまな犬に広く適用することができ、同様に高い共用性を備えている。よって、犬にとって、安全性と快適度という必須の条件を満たすことができる。例えば、犬が暑いと感じ舌を出して放熱する必要があるとき、口輪のきつさを調整することで、口を少し開くことのできる適切な隙間を形成することができる。ループ状に犬の口部周囲に装着されるため、犬の全体の外観と格好を見苦しくすることがない。また、フックに、例えば、外出時の犬用リード等の犬用の周辺物品を装着することができる。
【００１３】
請求項２に係る犬用口輪によれば、１つを口部へ装着するためのループ１ａとし、他を予備用としての機能を果たすことができる。また、請求項３に係る犬用口輪によれば、犬用のリードや装飾用の鈴等、同時にさまざまな犬用の周辺物品をつけることができる。
【考案を実施するための最良の形態】
【００１４】
以下、本考案の実施の形態を図面に基いて詳細に説明する。図１は、本考案の犬用口輪の斜視図である。また、図２は、本考案の犬用口輪の平面図であり、図３は、犬に装着する前に予めループを作った状態を示す犬用口輪の斜視図であり、図４は、本考案の犬用口輪を犬に装着した状態を示す斜視図である。
【００１５】
図１乃至図３に示すように、本考案の犬用口輪は、全体の形態はベルト状を呈するものであり、ベルト１、ループ調整部材１１、互いに脱着自在に嵌め合うオスバックル１２１とメスバックル１２２とからなる装着用の係止バックル１２及び犬用の周辺物品を掛止可能とするフック１３とからなる。
【００１６】
ループ調整部材１１は、図１及び図３に示すように、略板状で方形状の枠体の中央に、枠体内部の開口を左右に仕切る棒状の仕切部１１１が設けられ、中央の仕切部１１１によって枠体内部の左右に並列した挿通孔１１２，１１２が形成されている。ループ調整部材１１は、ベルト１の中途に配設されると共に、ベルト１がループ調整部材１１の一方の挿通孔１１２に挿通され、仕切部１１１を跨ぐようにしてさらに他方の挿通孔１１２に挿通されて移動自在に設けられている。図３に示すように、ループ調整部材１１の並列した挿通孔１１２間に配置されたベルト部分により犬の口部へ装着するためのループ１ａが形成される。なお、本実施形態では、ループ調整部材１１を複数設けることにより、１つを口部へ装着するためのループ１ａとし、他を予備用としての機能を果たすことができる。
【００１７】
ベルト１の一端には、オスバックル１２１が結着固定され、ベルト１の他端にはメスバックル１２２が移動可能に設けられている。装着用の係止バックル１２は、オスバックル１２１及びメスバックル１２２の両者は迅速に相互に嵌合し使用することができる。なお、実施形態では、オスバックル１２１がベルト１に結着固定され、メスバックル１２２がベルト１に移動可能に設けられている構成としてあるが、オスバックル１２１及びメスバックル１２２の少なくとも１つに（一方でもよいし両方でもよい）対してベルト１が移動自在とされていればよい。ベルト１の全体長さの調整は、オスバックル１２１またはメスバックル１２２の後端部に設けた接続部１２１１、１２２１にベルト１の先端を通して接続するとき、ベルト１の全体の長さを決定し、各種犬に合わせた最適な長さに調整する。
【００１８】
フック１３は犬用のリードや装飾用の鈴などの周辺物品をつけるためにベルト１の一端寄りに設けられている。このような使用目的のため、フック１３は少なくとも１つ以上設けることができ、複数設けることで同時にさまざまな犬用の周辺物品をつけることができる。
【００１９】
実施形態の犬用口輪の使用について説明する。まず、ループ調整部材１１の並列した挿通孔１１２間に配置されたベルト部分を引っ張ってループ１ａを形成する（図３参照）。なお、ループ１ａは挿通孔間との適度な摩擦によりループの形状を保持できる。さらにこのループ１ａを犬の口部に周囲に装着する。なお、ベルト１の両端部を引っ張ることで、犬の口部からループ１ａが外れない程度にループ１ａの大きさを調整する。ループ１ａをしっかり口部に装着した後、両側のベルト１を犬の頚部後方に向かって巻きつけ、ベルト１の両端のオスバックル１２１とメスバックル１２２を嵌合する。以上に説明したように、本考案の犬用口輪は、異なる大きさ、口の形状の各種の犬に広く適用できる。これにより、図４に示すように、本考案の犬用口輪は単一のベルト１を用い、同時に口輪と首輪の二つの機能を実現することができる。
【図面の簡単な説明】
【００２０】
【図１】本考案の犬用口輪の斜視図である。
【図２】本考案の犬用口輪の平面図である。
【図３】犬に装着する前に予めループを作った状態を示す犬用口輪の斜視図である。
【図４】犬用口輪を犬に装着した状態を示す斜視図である。
【図５】従来の犬用口輪を示す斜視図である。
【符号の説明】
【００２１】
１  ベルト
１ａ  ループ
１１  ループ調整部材
１２  係止バックル
１３  フック
１１１  仕切部
１１２  挿通孔
１２１  オスバックル
１２１１  接続部
１２２  メスバックル
１２２１  接続部
Ａ１  犬用口輪（従来）
Ａ２  ベルト
【図１】
0003116082.tif 000003
【図２】
0003116082.tif 000004
【図３】
0003116082.tif 000005
【図４】
0003116082.tif 000006
【図５】
0003116082.tif 000007